(57)【要約】【課題】ユーザが複数の情報記録装置を所有している場合、どの装置においてもコンテンツの構成を同一とし、ユーザの利便性を図ること。【解決手段】コンテンツ管理情報を記録するＨＤＤ１５と、Ｉ／Ｆ部１９を介して外部機器と通信した際に、外部機器が有するコンテンツ管理情報を外部機器から取得し、当該取得されたコンテンツ管理情報とＨＤＤ１５に記録されたコンテンツ管理情報とが一致するか否かを判別し、一致しないコンテンツ管理情報があると判別された場合に、当該一致しないコンテンツ管理情報に対応付けられた差分コンテンツ情報がＨＤＤ１５に記録されているか否かを判別し、差分コンテンツ情報がＨＤＤ１５に記録されていないと判別された場合、Ｉ／Ｆ部１９を介して差分コンテンツ情報を外部機器から取得し、当該取得された差分コンテンツ情報をＨＤＤ１５に記録させるシステムマイコン１１と、を備える。【選択図】図６
2009070477.tif 000002
【特許請求の範囲】
【請求項１】
コンテンツ情報及び該コンテンツ情報を管理するためのコンテンツ管理情報を記録する記録部と、
外部機器と通信する通信部と、
前記通信部を介して前記外部機器と通信した際に、前記外部機器が有するコンテンツ管理情報を前記外部機器から取得し、当該取得されたコンテンツ管理情報と前記記録部に記録されたコンテンツ管理情報とが一致するか否かを判別する第１の判別部と、
前記第１の判別部により一致しないコンテンツ管理情報があると判別された場合に、当該一致しないコンテンツ管理情報に対応付けられた差分コンテンツ情報が前記記録部に記録されているか否かを判別する第２の判別部と、
前記第２の判別部により前記差分コンテンツ情報が前記記録部に記録されていないと判別された場合、前記通信部を介して前記差分コンテンツ情報を前記外部機器から取得し、当該取得された差分コンテンツ情報を前記記録部に記録させる制御部と、
を備える情報記録装置。
【請求項２】
前記制御部は、
前記第２の判別部により前記差分コンテンツ情報が前記記録部に記録されていないと判別された場合、前記外部機器から取得したコンテンツ管理情報に含まれる著作権保護情報を参照して前記差分コンテンツ情報は著作権保護があるか否かを判別し、前記差分コンテンツ情報は著作権保護があると判別された場合、前記差分コンテンツ情報に対応するダミー情報を前記記録部に記録させる請求項１に記載の情報記録装置。
【請求項３】
前記制御部は、
前記第２の判別部により前記差分コンテンツ情報が前記記録部に記録されていると判別された場合、前記記録部に記録されたコンテンツ管理情報に含まれる著作権保護情報及び前記外部機器から取得したコンテンツ管理情報を参照して前記差分コンテンツ情報の各々は著作権保護があるか否かを判別し、前記記録部に記録されている差分コンテンツ情報が著作権保護があると判別され、前記外部機器に記録されている差分コンテンツ情報が著作権保護が無いと判別された場合、前記外部機器に記録された差分コンテンツ情報を前記記録部に記録されている差分コンテンツ情報に上書き記録させる請求項１に記載の情報記録装置。
【請求項４】
前記制御部は、
前記第２の判別部により前記差分コンテンツ情報が前記記録部に記録されていると判別された場合、前記記録部に記録されている差分コンテンツ情報がダミー情報であるか否かの判別、及び前記外部機器から取得したコンテンツ管理情報に含まれる著作権保護情報を参照して前記差分コンテンツ情報は著作権保護があるか否かを判別し、前記記録部に記録されている差分コンテンツ情報がダミー情報であり、前記外部機器に記録されている差分コンテンツ情報は著作権保護が無いと判別された場合、前記外部機器に記録されている差分コンテンツ情報を前記記録部に既得されている差分コンテンツ情報のダミー情報に上書き記録させる請求項１に記載の情報記録装置。
【請求項５】
前記制御部は、
前記第２の判別部により前記差分コンテンツ情報が前記記録部に記録されていると判別された場合、前記外部機器から取得したコンテンツ管理情報に含まれるフォルダ属性情報を参照して前記差分コンテンツ情報のフォルダ属性情報を変更する必要があるか否かを判別し、前記差分コンテンツ情報のフォルダ属性情報を変更する必要があると判別された場合、前記差分コンテンツ情報のフォルダ属性情報を前記外部機器から取得したフォルダ属性情報に整合させる請求項１に記載の情報記録装置。
【請求項６】
前記制御部は、
前記記録部に記録された差分コンテンツ情報に対応するコンテンツ管理情報を追記若しくは書換えを行う請求項１から５のいずれか一項に記載の情報記録装置。
【請求項７】
前記記録部は、
前記コンテンツ情報の共有が許可された外部機器を識別する識別情報を記録し、
前記制御部は、
前記通信部を介して前記外部機器が有する固有情報を前記外部機器から取得し、当該取得された固有情報が前記記録部に記録された識別情報に含まれているかを判別し、当該固有情報が前記識別情報に含まれていると判別された場合に前記外部機器より前記コンテンツ管理情報を取得し、当該固有情報と前記識別情報とが一致しないと判別された場合に前記外部機器からの前記コンテンツ管理情報及び前記コンテンツ情報の取得を禁止する請求項１から６のいずれか一項に記載の情報記録装置。
【請求項８】
外部機器と通信する通信部を介して当該外部機器と通信した際に、当該外部機器が有するコンテンツ管理情報を当該外部機器から取得し、当該取得されたコンテンツ管理情報と記録部に記録されたコンテンツ管理情報とが一致するか否かを判別する第１の判別工程と、
前記第１の判別工程により一致しないコンテンツ管理情報があると判別された場合に、当該一致しないコンテンツ管理情報に対応する差分コンテンツ情報が前記記録部に記録されているか否かを判別する第２の判別工程と、
前記第２の判別工程により前記差分コンテンツ情報が前記記録部に記録されていないと判別された場合、前記通信部を介して前記差分コンテンツ情報を前記外部機器から取得し、当該取得された差分コンテンツ情報を前記記録部に記録させる制御工程と、
を含む情報記録方法。
【請求項９】
コンピュータを
コンテンツ情報及び該コンテンツ情報を管理するためのコンテンツ管理情報を記録する記録部、
外部機器と通信する通信部、
前記通信部を介して前記外部機器と通信した際に、前記外部機器が有するコンテンツ管理情報を前記外部機器から取得し、当該取得されたコンテンツ管理情報と前記記録部に記録されたコンテンツ管理情報とが一致するか否かを判別する第１の判別部、
前記第１の判別部により一致しないコンテンツ管理情報があると判別された場合に、当該一致しないコンテンツ管理情報に対応する差分コンテンツ情報が前記記録部に記録されているか否かを判別する第２の判別部、
前記第２の判別部により前記差分コンテンツ情報が前記記録部に記録されていないと判別された場合、前記通信部を介して前記差分コンテンツ情報を前記外部機器から取得し、当該取得された差分コンテンツ情報を前記記録部に記録させる制御部、
として機能させる情報記録プログラム。
【発明の詳細な説明】
【技術分野】
【０００１】
本発明は、情報記録装置、情報記録方法、及び情報記録プログラムに関する。
【背景技術】
【０００２】
近年、楽曲情報や映像情報（以下、コンテンツ情報）を記録する情報記録装置の容量が増加している。情報記録装置の中には、例えば、数千曲のコンテンツ情報の記録が可能な装置も存在する。
【０００３】
また、記録されるコンテンツ情報の例としては、ユーザが購入したＣＤのコンテンツ情報、又はユーザがオンラインで購入したコンテンツ情報などが挙げられる。
また、コンテンツ情報の利用形態の例としては、据置型の情報記録装置に蓄積されたコンテンツ情報を携帯型の情報記録装置、又は車載型の情報記録装置に記録して再生する利用形態などが挙げられる。
【０００４】
また、外部機器から送信されてきたデータ内に、固有の識別コードと同一の識別コードが確認された場合にのみ、データの記録動作を可能とする技術も知られている（例えば、特許文献１参照）。
【特許文献１】特開平１０−０４０６３９号公報
【発明の開示】
【発明が解決しようとする課題】
【０００５】
しかしながら、上述の特許文献の技術では、外部機器からコンテンツ情報を記録する場合、ユーザは、記録するコンテンツ情報を指定する作業に手間を要していた。
例えば、いま、据置型の装置（外部機器）から携帯型の装置（情報記録装置）にコンテンツ情報を記録するとする。また、このとき、外部機器には膨大なコンテンツ情報が記録されているものとする。この場合、ユーザは、外部機器が有する膨大なコンテンツ情報の中から、情報記録装置へ記録するコンテンツ情報を指定する必要がある。また、外部機器が有するコンテンツ情報の中に以前記録したコンテンツ情報がある場合は、以前記録したコンテンツ情報を除いて記録する必要がある。さらに、外部機器が有するコンテンツ情報の中に著作権が保護されたコンテンツ情報がある場合は、著作権が保護されたコンテンツ情報を除いて記録する必要がある。
このため、ユーザが複数の情報記録装置を所有している場合、どの装置においてもコンテンツの構成を同一とし、ユーザの利便性を図る要請があった。
【０００６】
本発明の課題は、ユーザが複数の情報記録装置を所有している場合、どの装置においてもコンテンツの構成を同一とし、ユーザの利便性を図ることである。
【課題を解決するための手段】
【０００７】
上記課題を解決するため、請求項１に記載の情報記録装置は、
コンテンツ情報及び該コンテンツ情報を管理するためのコンテンツ管理情報を記録する記録部と、
外部機器と通信する通信部と、
前記通信部を介して前記外部機器と通信した際に、前記外部機器が有するコンテンツ管理情報を前記外部機器から取得し、当該取得されたコンテンツ管理情報と前記記録部に記録されたコンテンツ管理情報とが一致するか否かを判別する第１の判別部と、
前記第１の判別部により一致しないコンテンツ管理情報があると判別された場合に、当該一致しないコンテンツ管理情報に対応付けられた差分コンテンツ情報が前記記録部に記録されているか否かを判別する第２の判別部と、
前記第２の判別部により前記差分コンテンツ情報が前記記録部に記録されていないと判別された場合、前記通信部を介して前記差分コンテンツ情報を前記外部機器から取得し、当該取得された差分コンテンツ情報を前記記録部に記録させる制御部と、
を備える。
【０００８】
請求項２に記載の発明は、請求項１に記載の情報記録装置において、
前記制御部は、
前記第２の判別部により前記差分コンテンツ情報が前記記録部に記録されていないと判別された場合、前記外部機器から取得したコンテンツ管理情報に含まれる著作権保護情報を参照して前記差分コンテンツ情報は著作権保護があるか否かを判別し、前記差分コンテンツ情報は著作権保護があると判別された場合、前記差分コンテンツ情報に対応するダミー情報を前記記録部に記録させる。
【０００９】
請求項３に記載の発明は、請求項１に記載の情報記録装置において、
前記制御部は、
前記第２の判別部により前記差分コンテンツ情報が前記記録部に記録されていると判別された場合、前記記録部に記録されたコンテンツ管理情報に含まれる著作権保護情報及び前記外部機器から取得したコンテンツ管理情報を参照して前記差分コンテンツ情報の各々は著作権保護があるか否かを判別し、前記記録部に記録されている差分コンテンツ情報が著作権保護あると判別され、前記外部機器に記録されている差分コンテンツ情報が著作権保護が無いと判別された場合、前記外部機器に記録された差分コンテンツ情報を前記記録部に記録されている差分コンテンツ情報に上書き記録させる。
【００１０】
請求項４に記載の発明は、請求項１に記載の情報記録装置において、
前記制御部は、
前記第２の判別部により前記差分コンテンツ情報が前記記録部に記録されていると判別された場合、前記記録部に記録されている差分コンテンツ情報がダミー情報であるか否かの判別、及び前記外部機器から取得したコンテンツ管理情報に含まれる著作権保護情報を参照して前記差分コンテンツ情報は著作権保護があるか否かを判別し、前記記録部に記録されている差分コンテンツ情報がダミー情報であり、前記外部機器に記録されている差分コンテンツ情報は著作権保護が無いと判別された場合、前記外部機器に記録されている差分コンテンツ情報を前記記録部に既得されている差分コンテンツ情報のダミー情報に上書き記録させる。
【００１１】
請求項５に記載の発明は、請求項１に記載の情報記録装置において、        
前記制御部は、
前記第２の判別部により前記差分コンテンツ情報が前記記録部に記録されていると判別された場合、前記外部機器から取得したコンテンツ管理情報に含まれるフォルダ属性情報を参照して前記差分コンテンツ情報のフォルダ属性情報を変更する必要があるか否かを判別し、前記差分コンテンツ情報のフォルダ属性情報を変更する必要があると判別された場合、前記差分コンテンツ情報のフォルダ属性情報を前記外部機器から取得したフォルダ属性情報に整合させる。
【００１２】
請求項６に記載の発明は、請求項１から５のいずれか一項に記載の情報記録装置において、
前記制御部は、
前記記録部に記録された差分コンテンツ情報に対応するコンテンツ管理情報を追記若しくは書換えを行う。
【００１３】
請求項７に記載の発明は、請求項１から６のいずれか一項に記載の情報記録装置において                                                                
前記記録部は、
前記コンテンツ情報の共有が許可された外部機器を識別する識別情報を記録し、
前記制御部は、
前記通信部を介して前記外部機器が有する固有情報を前記外部機器から取得し、当該取得された固有情報が前記記録部に記録された識別情報に含まれているかを判別し、当該固有情報が前記識別情報に含まれていると判別された場合に前記外部機器より前記コンテンツ管理情報を取得し、当該固有情報と前記識別情報とが一致しないと判別された場合に前記外部機器からの前記コンテンツ管理情報及び前記コンテンツ情報の取得を禁止する。
【００１４】
請求項８に記載の発明の情報記録方法は、
外部機器と通信する通信部を介して当該外部機器と通信した際に、当該外部機器が有するコンテンツ管理情報を当該外部機器から取得し、当該取得されたコンテンツ管理情報と記録部に記録されたコンテンツ管理情報とが一致するか否かを判別する第１の判別工程と、
前記第１の判別工程により一致しないコンテンツ管理情報があると判別された場合に、当該一致しないコンテンツ管理情報に対応する差分コンテンツ情報が前記記録部に記録されているか否かを判別する第２の判別工程と、
前記第２の判別工程により前記差分コンテンツ情報が前記記録部に記録されていないと判別された場合、前記通信部を介して前記差分コンテンツ情報を前記外部機器から取得し、当該取得された差分コンテンツ情報を前記記録部に記録させる制御工程と、
を含む情報記録方法。
【００１５】
請求項９に記載の発明の情報記録プログラムは、
コンピュータを
コンテンツ情報及び該コンテンツ情報を管理するためのコンテンツ管理情報を記録する記録部、
外部機器と通信する通信部、
前記通信部を介して前記外部機器と通信した際に、前記外部機器が有するコンテンツ管理情報を前記外部機器から取得し、当該取得されたコンテンツ管理情報と前記記録部に記録されたコンテンツ管理情報とが一致するか否かを判別する第１の判別部、
前記第１の判別部により一致しないコンテンツ管理情報があると判別された場合に、当該一致しないコンテンツ管理情報に対応する差分コンテンツ情報が前記記録部に記録されているか否かを判別する第２の判別部、
前記第２の判別部により前記差分コンテンツ情報が前記記録部に記録されていないと判別された場合、前記通信部を介して前記差分コンテンツ情報を前記外部機器から取得し、当該取得された差分コンテンツ情報を前記記録部に記録させる制御部、
として機能させる情報記録プログラム。
【発明の効果】
【００１６】
本発明によれば、ユーザが複数の情報記録装置を所有している場合、どの装置においてもコンテンツの構成を同一とし、ユーザの利便性を図ることができる。
【発明を実施するための最良の形態】
【００１７】
以下、添付図面を参照して本発明に係る実施の形態を詳細に説明する。ただし、発明の範囲は、図示例に限定されない。
【００１８】
先ず、図１を参照して情報記録装置１の装置構成について説明する。情報記録装置１は、外部機器２からコンテンツ情報を取得して記録する携帯型のオーディオ機器である。また、外部機器２は、据置型のオーディオ機器である。
情報記録装置１は、制御部、第１の判別部、第２の判別部としてのシステムマイコン１１と、表示部１２と、操作部１３と、ＤＳＰ（Digital Signal Processor）１４と、記録部としてのＨＤＤ（Hard Disc Drive）１５と、ＤＡＣ（Digital analog converter）１６と、アンプ部１７と、出力部１８と、通信部としてのＩ／Ｆ（インターフェース）部１９と、を備えて構成される。
【００１９】
システムマイコン１１は、ＣＰＵ（Central  Processing  Unit）と、ＲＯＭ（Read  Only  Memory）と、ＲＡＭ（Random  Access  Memory）と（以上、図示省略）、を備える
。
【００２０】
ＣＰＵは、各部を中央制御する。ＲＯＭは、情報を読み出し可能なメモリであり、特に、差分コンテンツ情報取得プログラムを記憶する。ＲＡＭは、格納する揮発性のメモリであり、各種プログラム及び各種データを展開するワークエリアを有する。
【００２１】
システムマイコン１１は、ＲＯＭに記憶されているシステムプログラム及び各種アプリケーションプログラムの中から指定されたプログラムやＲＡＭに記憶されたデータを読み出して当該ＲＡＭに展開し、ＲＡＭに展開されたプログラムやデータとＣＰＵとの協働で、各種処理を実行する。
【００２２】
システムマイコン１１は、差分コンテンツ情報取得プログラムとの協働により、Ｉ／Ｆ部１９を介して外部機器２と通信した際に、外部機器２が有するコンテンツ管理情報を外部機器２から取得する。外部機器２が有するコンテンツ情報を取得すると、システムマイコン１１は、当該取得されたコンテンツ管理情報とＨＤＤ１５に記録されたコンテンツ管理情報とが一致するか否かを判別する。そして、システムマイコン１１は、一致しないコンテンツ管理情報があると判別された場合に、当該一致しないコンテンツ管理情報に対応付けられた差分コンテンツ情報がＨＤＤ１５に記録されているか否かを判別する。そして、システムマイコン１１は、差分コンテンツ情報がＨＤＤ１５に記録されていないと判別された場合、Ｉ／Ｆ部１９を介して差分コンテンツ情報を外部機器２から取得し、当該取得された差分コンテンツ情報をＨＤＤ１５に記録させる。
ここで、コンテンツ管理情報とは、コンテンツ情報を管理するための情報のことをいう。コンテンツ管理情報は、例えば、フォルダ属性情報と、ファイル名情報と、著作権保護情報と、を含む。フォルダ属性情報、ファイル名情報、及び著作権保護情報については後述する。コンテンツ情報とは、楽曲情報、映像情報等のことをいう。一致しないコンテンツ情報に対応付けられた差分コンテンツ情報とは、一致しないコンテンツ情報に対応付けられた（紐付けられた）コンテンツ情報のことをいう。
【００２３】
表示部１２は、ＬＣＤ（Liquid Crystal Display）等により構成され、システムマイコン１１から入力される表示信号に基づいて、ＣＤ等の再生又は記録中に所要の表示動作を行う。例えば、再生中のトラック番号、動作状態（早送り、早戻し、録音等）、記録モード等を表示する。
【００２４】
操作部１３は、再生キー、停止キー、サーチキー等の各種入力キーを備え、その押下信号をシステムマイコン１１に出力する。
【００２５】
ＤＳＰ１４は、高速のマイクロプロセッサであり、システムマイコン１１の指示により、ＣＤ等の楽曲情報に、ＭＰ３（MPEG-1 Audio Layer-3）方式やＷＭＡ（Windows Media(登録商標) Audio）への圧縮／伸張の処理、エラー訂正符号化の処理、ＥＦＭ（Eight to Fourteen Modulation）変調処理等の各種デジタル信号処理を施す。
【００２６】
ＨＤＤ１５は、磁気記憶媒体を備え、各種情報を読み出し及び書き込み可能に磁気記憶媒体に記憶（記録）する。
【００２７】
ＤＡＣ１６は、ＤＳＰ１４において処理された所定のデジタル信号をアナログ信号に変換し、アンプ部１７に出力する。アンプ部１７は、ＤＡＣ１６より出力されたアナログ信号を増幅する。出力部１８は、アンプ部１７から出力されたアナログ信号を外部のヘッドホンやスピーカーに音として出力する。
【００２８】
Ｉ／Ｆ部１９は、ケーブル等を介して外部機器２と通信接続し、外部機器２と各種情報の送受信を行う。
【００２９】
次に、図２を参照して、ＨＤＤ１５に記録される情報１５Ａの一例を説明する。図２に示すように、情報１５Ａは、固有情報としての自機ＩＤ（Identifier Number）と、識別情報としてのコンテンツ情報共有許可ＩＤと、コンテンツ管理情報と、コンテンツ情報と、を含む。
【００３０】
自機ＩＤは、装置固有のＩＤである。コンテンツ情報共有許可ＩＤは、情報記録装置１と本発明の機能によるコンテンツ情報の共有が許可された外部機器２のＩＤである。コンテンツ管理情報は、フォルダ属性情報と、ファイル名情報と、著作権保護情報と、を含む。フォルダ属性情報は、コンテンツ情報が格納されているフォルダの属性を示す情報である。ファイル名情報は、コンテンツ情報のファイル名を示す情報である。著作権保護情報は、コンテンツ情報がコピー可能であるか否かを示す情報である。
【００３１】
次に、図３を参照して、後述する差分コンテンツ情報取得処理が実行される直前の情報記録装置１及び外部機器２が有するコンテンツ管理情報の一例を説明する。図３（Ａ）に情報記録装置１のＨＤＤ１５に記録されているコンテンツ管理情報の一例としてのコンテンツ管理情報テーブル１５０Ａを示す。図３（Ｂ）に外部機器２の記録部（図示省略）に記録されているコンテンツ管理情報の一例としてのコンテンツ管理情報テーブル１５０Ｂを示す。コンテンツ管理情報テーブル１５０Ａの各情報は、図２で説明したコンテンツ管理情報に該当する。
【００３２】
次に図４を参照して、情報記録装置１が外部機器２と接続され、差分コンテンツ情報取得処理が実行された後の情報記録装置１及び外部機器２が有するコンテンツ管理情報の一例を説明する。情報記録装置１が外部機器２と接続されると、情報記録装置１は、外部機器２からコンテンツ管理情報を取得し、コンテンツ管理情報の比較を行う（すなわち、コンテンツ管理テーブル１５０Ａとコンテンツ管理テーブル１５０Ｂとの比較を行う）。そして、当該比較後、一致しないコンテンツ管理情報の更新、取得、又は一致しないコンテンツ管理情報に紐付けられたコンテンツ情報の取得を行う。
【００３３】
例えば、いま、コンテンツ管理テーブル１５０Ａとコンテンツ管理テーブル１５０Ｂとの比較（以下、比較）により、同一のファイル名情報であり、且つ、フォルダ属性情報が一致しないコンテンツ管理情報があったとする。この場合、コンテンツ管理情報の更新方法について説明する（図４の（１）に該当）。
図３において、コンテンツ管理テーブル１５０Ａ及び１５０Ｂの「ｒｒｒｒｒ．ｍｐ３」を比較したとき、各々のコンテンツ管理テーブルにおけるファイル名情報と著作権保護情報は同一であるが、フォルダ属性情報がコンテンツ管理テーブル１５０Ａにおいては、「￥ＡＡＡ」でありコンテンツ管理テーブル１５０Ｂにおいては「￥ＡＡ」である。すなわち、両コンテンツ管理情報は、同一のファイル名情報であり、フォルダ属性情報が異なる。この場合、コンテンツ管理テーブル１５０Ａの「ｒｒｒｒｒ．ｍｐ３」のフォルダ属性情報は、外部機器２のフォルダ属性情報と同一のフォルダ属性情報に整合される。すなわち図４に示すように、コンテンツ管理テーブル１５０Ａの「ｒｒｒｒｒ．ｍｐ３」のフォルダ属性情報は「￥ＡＡＡ」から「￥ＡＡ」に整合され、更新される。
【００３４】
次に、比較により同一のファイル名情報であり、且つ、著作権保護情報が一致しないコンテンツ管理情報があった場合におけるコンテンツ管理情報に含まれる著作権保護情報の更新方法について説明する（図４の（２）に該当）。
図３において、コンテンツ管理テーブル１５０Ａ及びコンテンツ管理テーブル１５０Ｂの「ａｂｃｄｅｆｇ．ｍｐ３」を比較したとき、各々のコンテンツ管理テーブルにおけるファイル名情報とフォルダ属性情報は同一であるが、著作権保護情報がコンテンツ管理テーブル１５０Ａにおいては「あり」であり、コンテンツ管理テーブル１５０Ｂにおいては「なし」である。この状態は、例えば、ユーザがダウンロード購入したコンテンツ情報をＨＤＤ１５に記録した後、同一のコンテンツ情報のＣＤをユーザが購入し、当該購入したＣＤのコンテンツ情報を圧縮して外部機器２に記録した場合を想定している。この場合、情報記録装置１は、外部機器２より「ａｂｃｄｅｆｇ．ｍｐ３」のコンテンツ情報を取得し、図４のようにコンテンツ管理テーブル１５０Ａを更新する。このような更新により、コンテンツ情報を情報記録装置１以外のユーザが保有する機器（例えば、車載用のオーディオ機器等）に対しても記録することが可能となる。また、この場合は情報記録装置１に記録されていた著作権保護されている「ａｂｃｄｅｆｇ．ｍｐ３」に対して外部機器２に記録されているユーザが購入したＣＤより記録した「ａｂｃｄｅｆｇ．ｍｐ３」を上書きすることになるため、「上書きしますか？」などの表示を表示部１２などに行い、ユーザが選択可能にしてもよい。
【００３５】
次に、比較により一致しないコンテンツ管理情報があった場合におけるコンテンツ管理情報の取得方法について説明する（図４の（３）に該当）。
図３において、コンテンツ管理テーブル１５０Ａ及び１５０Ｂの「ｗｗｗｗｗ．ｍｐ３」に対して比較したとき、外部機器２には記録されているが、情報記録装置１には該当するコンテンツ情報が記録されていないため、コンテンツ管理テーブル１５０Ａには該当するコンテンツ管理情報は記録されていない。また、コンテンツ管理テーブル１５０Ｂにおいて「ｗｗｗｗｗ．ｍｐ３」の著作権保護情報は「あり」である。この場合は、外部機器２に記録されている「ｗｗｗｗｗ．ｍｐ３」のファイルは、情報記録装置１を含む他の機器にコピーすることはできないため、情報記録装置１は外部機器２よりコンテンツ管理情報のみを取得し、コンテンツ管理テーブル１５０Ａにダミー情報として記録する。ダミー情報とは、ユーザがそのコンテンツを（ここでは外部機器２）保有しているにも拘わらず、（ここでは情報記録装置１）にコンテンツ情報を記録することができないコンテンツに対して、相互の情報を整合するために仮のコンテンツ情報として記録する情報である。例えば、ユーザがファイル名情報「ｗｗｗｗｗ．ｍｐ３」のファイルを情報記録装置１で再生指示した場合、「ｗｗｗｗｗ．ｍｐ３」のコンテンツ情報は実際には情報記録装置１には取得されておらず、ダミー情報が記録されている。このため、「ｗｗｗｗｗ．ｍｐ３」のコンテンツ情報を情報記録装置１で再生することはできない。この場合、情報記録装置１は表示部１２に「保有コンテンツですが、＊＊＊（外部機器２の機器名など）のみで再生可能です」などの表示を行ってよい。
【００３６】
次に、比較により一致しないコンテンツ管理情報があった場合におけるコンテンツ管理情報、及びコンテンツ管理情報に紐付けられたコンテンツ情報の取得方法について説明する（図４の（４）に該当）。
図３において、コンテンツ管理テーブル１５０Ａ及び１５０Ｂの「ＤＤＤＤＤ．ｍｐ３」に対して比較したとき、外部機器２には記録されているが、情報記録装置１には該当するコンテンツ情報が記録されていない。また、コンテンツ管理テーブル１５０Ｂにおいて「ＤＤＤＤＤ．ｍｐ３」の著作権保護情報は「なし」である。この場合、情報記録装置１は外部機器２より「ＤＤＤＤＤ．ｍｐ３」のコンテンツ情報を取得し、図４のようにコンテンツ管理テーブル１５０Ａを更新する。
【００３７】
次に、比較により同一のファイル名情報であり、且つ一方のコンテンツ管理テーブルにおけるコンテンツ管理情報がダミー情報であった場合において説明する（図４の（５）に該当）。
図３において、コンテンツ管理テーブル１５０Ａ及び１５０Ｂの「ｋｋｋｋｋ．ｍｐ３」に対して比較したとき、外部機器２におけるコンテンツ管理情報はダミー情報ではないために外部機器２には「ｋｋｋｋｋ．ｍｐ３」のコンテンツ情報が記録されており、情報記録装置１におけるコンテンツ管理情報はダミー情報であるために情報記録装置１には「ｋｋｋｋｋ．ｍｐ３」のコンテンツ情報が記録されていない。この状態は、情報記録装置１と外部機器２を前回接続した際に、上記（３）の状態となり、その後ユーザが同一コンテンツをＣＤなどで購入し、外部機器２に記録した状態である。
この場合、情報記録装置１は、外部機器２より「ｋｋｋｋｋ．ｍｐ３」のコンテンツ情報を取得し、図４のようにコンテンツ管理テーブル１５０Ａを更新する。
【００３８】
次に、図５及び図６を参照して、情報記録装置１のＣＰＵ１１で実行される差分コンテンツ情報取得処理を説明する。差分コンテンツ情報取得処理は、差分コンテンツ情報を外部機器２から取得して、ＨＤＤ１５に記録させる処理である。
【００３９】
例えば、ユーザにより操作部１３を介して差分コンテンツ情報取得処理の実行指示の入力がされたこと等をトリガとして、ＲＯＭ１２から読み出されて適宜ＲＡＭ１３に展開された差分コンテンツ情報取得プログラムと、ＣＰＵ１１との協働により差分コンテンツ情報取得処理が実行される。
【００４０】
先ず、外部機器２と接続されたか否かが判別される（ステップＳ１１）。例えば、接続信号を外部機器２から受信したか否かに基づいて、外部機器２と接続されたか否かが判別される。外部機器２と接続されていないと判別された場合（ステップＳ１１；ＮＯ）、ステップＳ１１に移行される。外部機器２と接続されたと判別された場合（ステップＳ１１；ＹＥＳ）、外部機器２がコンテンツ管理情報を有するか否かが判別される（ステップＳ１２）。外部機器２がコンテンツ管理情報を有しないと判別された場合（ステップＳ１２；ＮＯ）、差分コンテンツ情報取得処理は終了する。
【００４１】
ステップＳ１２において、外部機器２がコンテンツ管理情報を有すると判別された場合（ステップＳ１２；ＹＥＳ）、外部機器２から外部機器ＩＤが受信された後、外部機器ＩＤが確認される（ステップＳ１３）。ここで、外部機器ＩＤとは、外部機器２が有する固有のＩＤのことをいう。外部機器ＩＤは、固有情報に該当する。外部機器ＩＤが確認されなかった場合（ステップＳ１３；ＮＯ）、差分コンテンツ情報取得処理は終了する。外部機器ＩＤが確認された場合（ステップＳ１３；ＹＥＳ）、外部機器ＩＤが登録されているか否かが判別される（ステップＳ１４）。具体的には、外部機器ＩＤがＨＤＤ１５に記録されている複数のコンテンツ情報共有許可ＩＤ（図２参照）と一致するか否かが確認される。外部機器ＩＤが登録されていないと判別された場合（ステップＳ１４；ＮＯ）、差分コンテンツ情報取得処理は終了する。
【００４２】
外部機器ＩＤがＨＤＤ１５に登録されていると判別された場合（ステップＳ１４；ＹＥＳ）、外部機器２からコンテンツ管理情報が取得される（ステップＳ１５）。そして、外部機器２から取得されたコンテンツ管理情報と、ＨＤＤ１５に記録されているコンテンツ管理情報とが比較される（ステップＳ１６）。具体的には、図３で説明したコンテンツ管理情報テーブル１５０Ａとコンテンツ管理情報テーブル１５０Ｂとが比較される。
【００４３】
ステップＳ１６の実行後、一致しないコンテンツ管理情報があるか否かが判別される（ステップＳ１７）。例えば、図３のコンテンツ管理テーブル１５０Ａ、１５０Ｂの例では、「ｔｔｔｔｔ．ｍｐ３」、「ｅｆｇｈｉｊｋ．ｍｐ３」、「ＦＦＦＦＦ．ｍｐ３」以外のコンテンツ管理情報が一致しないコンテンツ管理情報に該当する。一致しないコンテンツ管理情報がないと判別された場合（ステップＳ１７；ＮＯ）、差分コンテンツ情報取得処理は終了する。
【００４４】
ステップＳ１７において、一致しないコンテンツ管理情報があると判別された場合（ステップＳ１７；ＹＥＳ）、一致しないコンテンツ管理情報の選択が行われる（ステップＳ１８）。例えば、図３のコンテンツ管理テーブル１５０Ａ、１５０Ｂの例では、「ｒｒｒｒｒ．ｍｐ３」「ａｂｃｄｅｆｇ．ｍｐ３」「ｗｗｗｗｗ．ｍｐ３」「ＤＤＤＤＤ．ｍｐ３」「ｋｋｋｋｋ．ｍｐ３」のコンテンツ管理情報が一致しないため差分コンテンツ情報として選択される。
ステップＳ１８の実行後、差分コンテンツ情報は、自機に記録されていないコンテンツ情報であるか否かが判別される（ステップＳ１９）。自機に記録されていないコンテンツ情報とは、情報記録装置１のＨＤＤ１５に記録されていない差分コンテンツ情報のことをいう。例えば、コンテンツ管理テーブル１５０Ｂの「ｗｗｗｗｗ．ｍｐ３」「ＤＤＤＤＤ．ｍｐ３」「ｋｋｋｋｋ．ｍｐ３」が自機に記録されていないコンテンツ情報に該当する。
【００４５】
ステップＳ１９において、差分コンテンツ情報は自機に記録されていないコンテンツ情報でないと判別された場合（ステップＳ１９；ＮＯ）、フォルダ属性情報が異なるか否かが判別される（ステップＳ２０）。フォルダ属性情報が異なるか否かを判別するとは、外部機器２から取得したコンテンツ管理情報に含まれるフォルダ属性情報が自機のコンテンツ管理情報に含まれるフォルダ属性情報と異なるために当該差分コンテンツ情報のフォルダ属性情報を変更する必要があるか否かを判別することをいう。本ステップは、例えば、図４（１）の場合に該当する。フォルダ属性情報が異なると判別された場合（ステップＳ２０；ＹＥＳ）、フォルダ属性情報の整合が行われる（ステップＳ２１）。
【００４６】
ステップＳ２０において、フォルダ属性情報の変更の必要がないと判別された場合（ステップＳ２０；ＮＯ）、自機の著作権保護情報が「あり」で外部機器２の著作権保護情報が「なし」であるか否かが判別される（ステップＳ２２）。自機の著作権保護情報が「あり」で外部機器２の著作権保護情報が「なし」と判別された場合（ステップＳ２２；ＹＥＳ）、後述するステップＳ２６に移行される。本ステップは図４（２）の場合に該当する。自機の著作権保護情報が「あり」で外部機器２の著作権保護情報が「なし」でないと判別された場合（ステップＳ２２；ＮＯ）、自機のダミー情報に対応する外部機器２の著作権保護情報が更新されたか否かが判別される（ステップＳ２３）。ここで、ダミー情報に対応する外部機器２の著作権保護情報とは、例えば、図３のコンテンツ管理テーブル１５０Ａ「ｋｋｋｋｋ．ｍｐ３」のダミー情報に対応するコンテンツ管理テーブル１５０Ｂ「ｋｋｋｋｋ．ｍｐ３」の著作権保護情報のことをいう。本ステップは図４（５）の場合に該当する。
【００４７】
ステップＳ２３において、ダミー情報に対応する外部機器２の著作権保護情報が更新されていると判別された場合（ステップＳ２３；ＹＥＳ）、後述するステップＳ２６に移行される。ダミー情報に対応する外部機器２の著作権保護情報が更新されていないと判別された場合（ステップＳ２３；ＮＯ）、後述するステップＳ２７に移行される。
【００４８】
ステップＳ１９において、差分コンテンツ情報は自機に記録されていないコンテンツ情報であると判別された場合（ステップＳ１９；ＹＥＳ）、差分コンテンツ情報は著作権保護有りか否かが判別される（ステップＳ２４）。差分コンテンツ情報は著作権保護有りか否かとは、外部機器２から取得したコンテンツ管理情報に含まれる著作権保護情報を参照して当該差分コンテンツ情報は著作権保護があるか否かを判別することをいう。
【００４９】
ステップＳ２４において、差分コンテンツ情報は著作権保護無しと判別された場合（ステップＳ２４；ＮＯ）、差分コンテンツ情報が取得される（ステップＳ２６）。本ステップは、例えば、図４（４）の場合に該当する。また、ステップＳ２４；ＹＥＳを経て本ステップに至った場合、図４の（５）の場合に該当する。また、ステップＳ２２；ＹＥＳを経て本ステップに至った場合、図４の（２）の場合に該当し、ステップＳ２３；ＹＥＳを経て本ステップに至った場合、図４の（３）の場合に該当する。
【００５０】
ステップＳ２６の実行後、一致しないコンテンツ管理情報はまだあるか否かが判別される（ステップＳ２７）。一致しないコンテンツ管理情報がまだあると判別された場合（ステップＳ２７；ＹＥＳ）、ステップＳ１８へ移行される。一致しないコンテンツ管理情報がないと判別された場合（ステップＳ２７；ＮＯ）、コンテンツ管理情報がＨＤＤ１５に記録又は更新され（ステップＳ２８）、差分コンテンツ情報取得処理は終了する。
【００５１】
ステップＳ２４において、差分コンテンツ情報は著作権保護有りと判別された場合（ステップＳ２４；ＹＥＳ）、差分コンテンツ情報に対応するダミー情報がコンテンツ管理情報として記録される（ステップＳ２５）。本ステップは、例えば、図４（３）の場合に該当する。ステップＳ２５の実行後、ステップＳ２７へ移行される。
【００５２】
以上、本実施の形態によれば、差分コンテンツ情報がＨＤＤ１５に記録されていないと判別された場合、外部機器２から差分コンテンツ情報を取得し、当該取得された差分コンテンツ情報をＨＤＤ１５に記録する。これにより、ユーザは、外部機器２からコンテンツ情報を取得する際、取得するコンテンツ情報を指定する作業の手間を解消することができるので、例えば、ユーザが複数の情報記録装置１を所有している場合、どの装置においてもコンテンツの構成を同一とし、ユーザの利便性を図ることができる。
【００５３】
また、差分コンテンツ情報がＨＤＤ１５に記録されていないと判別された場合、外部機器２から取得したコンテンツ管理情報をＨＤＤ１５に記録させることができる。
【００５４】
また、ＨＤＤ１５に記録されたコンテンツ管理情報のフォルダ属性情報を外部機器２から取得したフォルダ属性情報に整合させることができる。これにより、ＨＤＤ１５に記録されたフォルダ属性情報と外部機器２のフォルダ属性情報とが同一階層となるので、ユーザがコンテンツ情報の選択に戸惑うことを防ぐことができる。
【００５５】
また、著作権保護されている差分コンテンツ情報は取得されず、代わりにダミー情報が取得される。これにより、ユーザは、著作権保護されている差分コンテンツ情報を指定する作業の手間を解消することができる。また、適法なコンテンツ情報の取得が可能となる。
【００５６】
また、外部機器ＩＤとコンテンツ情報共有許可ＩＤとが一致するか否かの判別結果に基づいて、外部機器２とのコンテンツ管理情報の比較を行う。これにより、外部機器ＩＤとコンテンツ情報共有許可ＩＤとが一致しないと判別されると外部機器２とは本発明の機能によるコンテンツ情報の共有を禁止されるので、コンテンツ情報の拡散を防ぐことができる。
【００５７】
また、ＨＤＤ１５に記録された複数のコンテンツ情報共有許可ＩＤと外部機器ＩＤとが一致しないと判別された場合、当該外部機器ＩＤを有する外部機器２との本発明の機能によるコンテンツ情報の共有を禁止する。これにより、コンテンツ情報の拡散を防ぐことができる。
【００５８】
なお、上記実施の形態における記述は、本発明に係る情報記録装置、情報記録方法、情報記録プログラムの一例であり、これに限定されるものではない。
【００５９】
例えば、上記実施の形態では、差分コンテンツ情報取得処理におけるステップＳ２４において、著作権保護情報が「あり」（ステップＳ２４；ＹＥＳ）の場合、ダミー情報をコンテンツ管理情報としてＨＤＤ１８に記録することとしたがこれに限定されるものではない。例えば、ダミー情報を作成せずに、取得できなかったことを示す情報をコンテンツ管理情報に付加する構成としてもよい。その他、表示部１２に取得できなかったことを示す情報を表示させることとしてもよい。例えば、「このコンテンツ情報は、再生できないが、※※装置に保存されている」等の情報を表示させることとしてもよい。
【００６０】
また、差分コンテンツ情報取得処理におけるステップＳ２４において、著作権保護有りか否かの判別は、コンテンツ管理情報に含まれる著作権保護情報を参照することにより判別することとしたがこれに限定されるものではない。例えば、差分コンテンツ情報を取得し、当該取得したコンテンツ情報のフレームヘッダに記録されている著作権保護情報を参照することとしてもよい。
【００６１】
また、情報記録装置１及び外部機器２から削除したいコンテンツ情報があった場合、削除したいコンテンツ情報を情報記録装置１又は外部機器２内の削除フォルダに格納することとしてもよい。例えば、情報記録装置１のＨＤＤ１５内の１つのフォルダに削除フォルダを設定すると、情報記録装置１が外部機器２と接続するだけで削除フォルダ内のファイルが削除される。これにより、ユーザは削除したいコンテンツ情報を削除する手間を解消することができる。
【００６２】
その他、上記実施の形態における情報記録装置１の細部構成及び詳細動作に関しても、本発明の趣旨を逸脱しない範囲で適宜変更可能である。
【図面の簡単な説明】
【００６３】
【図１】本発明に係る情報記録装置の構成図である。
【図２】ＨＤＤに記録される情報の一例を示した図である。
【図３】（Ａ）は、差分コンテンツ情報取得処理が実行される前における情報記録装置１のＨＤＤに記録されるコンテンツ管理情報の一例を示した図である。（Ｂ）は、差分コンテンツ情報取得処理が実行される前における外部機器２が有するコンテンツ管理情報の一例を示した図である。
【図４】（Ａ）は、差分コンテンツ情報取得処理が実行される前における情報記録装置のＨＤＤに記録されるコンテンツ管理情報の一例を示した図である。（Ｂ）は、差分コンテンツ情報取得処理が実行された後における外部機器２が有するコンテンツ管理情報の一例を示した図である。
【図５】差分コンテンツ情報取得処理を示すフローチャートである。
【図６】差分コンテンツ情報取得処理を示すフローチャートである。
【符号の説明】
【００６４】
１     情報記録装置
２     外部機器
１１   システムマイコン
１２   表示部
１３   操作部
１４   ＤＳＰ
１５   ＨＤＤ
１６   ＤＡＣ
１７   アンプ部
１８   出力部
１９   Ｉ／Ｆ部
【図１】
2009070477.tif 000003
【図２】
2009070477.tif 000004
【図３】
2009070477.tif 000005
【図４】
2009070477.tif 000006
【図５】
2009070477.tif 000007
【図６】
2009070477.tif 000008